(57)【特許請求の範囲】
【請求項１】
日平均気温Ｔa の０℃以上の値を積算して求められる積算暖度を下記の条件のもとに計算し、その積算暖度が所定の閾値に達することにより、融雪水の地中浸透開始日を推定することを特徴とする融雪水の地中浸透開始日の推定方法。
条件：３日間連続してＴa ＜０の場合は前記積算暖度を０に戻す
【請求項２】
（ａ）日平均気温Ｔa を計測する手段と、
（ｂ）前記日平均気温Ｔa が３日間連続してＴa ＜０の場合は前記積算暖度を０に戻すという条件のもとに、前記日平均気温Ｔa の０℃以上の値を積算する手段とを備え、
（ｃ）前記積算暖度が所定の閾値に達すると融雪水の地中浸透開始日と判断する推定手段とを具備することを特徴とする融雪水の地中浸透開始日の推定装置。
【発明の詳細な説明】
【０００１】
【発明の属する技術分野】
本発明は、融雪水の地中浸透開始日の推定方法及びその装置に係り、特にＦＤ−ｉｎｄｅｘを用いた融雪水の地中浸透開始日の推定方法及びその装置に関するものである。
【０００２】
【従来の技術】
積雪地域では、多量の融雪水の地中浸透によって斜面崩壊、地すべり、土石流などの現象が発生し、毎年多くの被害が出ている。この種の現象によりもたらされる災害を防止・軽減するためには、融雪水の地中浸透が起こる期間を判断し、避難（集落の場合）、道路閉鎖（道路の場合）、運転抑止・速度規制（鉄道の場合）などの措置を適切な基準により取るという手法が有効かつ実用的である。
【０００３】
これまでの融雪水の地中浸透開始日時を判断する手法としては、▲１▼スノーライシメーターと呼ばれる受水マスを地表面に埋め込み、その受水マスに入った融雪水量を測定して融雪水の地中浸透開始日時を検出する手法、▲２▼積雪重量計（地表面に置かれた薄くて広い水枕状の容器内の液圧により積雪重量を測定する装置）を用いて、積雪重量の変化から融雪水の地中浸透開始日時を推定する手法、▲３▼土中水分計と呼ばれるセンサーを地中に埋設しておき、土中水分の変化を測定することで融雪水の地中浸透開始日時を判断する手法などが学究的なものとして存在している。
【０００４】
【発明が解決しようとする課題】
しかしながら、上記した従来のスノーライシメーターや積雪重量計を用いた手法は、計測器の設置に両者とも数ｍ2 以上の広い領域が必要であり、また、設置には時間と費用をかなり要する。さらに、頻繁なメンテナンスが不可欠であるとともに、傾斜地や凹凸が激しい場所には適用できない。
【０００５】
土中水分計を用いる手法は、設置は比較的容易であるが、土中水分計自体が非常に高価である。
【０００６】
本発明は、上記状況に鑑みて、簡便な、０℃以上の日平均気温を積算する積算暖度の形態で融雪水の地中浸透開始日を推定することを特徴とする融雪水の地中浸透開始日の推定方法及びその装置を提供することを目的とする。
【０００７】
【課題を解決するための手段】
本発明は、上記目的を達成するために、
〔１〕融雪水の地中浸透開始日の推定方法において、日平均気温Ｔa の０℃以上の値を積算して求められる積算暖度を下記の条件のもとに計算し、その積算暖度が所定の閾値に達することにより、融雪水の地中浸透開始日を推定することを特徴とする。
【０００８】
条件：３日間連続してＴa ＜０の場合は前記積算暖度を０に戻す
〔２〕融雪水の地中浸透開始日の推定装置において、日平均気温Ｔa を計測する手段と、前記日平均気温Ｔa が３日間連続してＴa ＜０の場合は前記積算暖度を０に戻すという条件のもとに、前記日平均気温Ｔa の０℃以上の値を積算する手段とを備え、前記積算暖度が所定の閾値に達すると融雪水の地中浸透開始日と判断する推定手段とを具備することを特徴とする。
【０００９】
【発明の実施の形態】
以下、本発明の実施の形態について、詳細に説明する。
【００１０】
図１は本発明の実施例を示す融雪水の地中浸透開始日の推定装置の構成図である。
【００１１】
この図において、１は日平均気温Ｔa の測定装置、２は前記日平均気温Ｔa が３日間連続してＴa ＜０の場合は前記積算暖度を０に戻すという条件のもとに、前記日平均気温Ｔa の０℃以上の値を積算して積算暖度を算出する処理を行う積算装置、３は前記積算暖度と所定の閾値とに基づき融雪水の地中浸透開始日の判断を行う推定装置である。
【００１２】
したがって、日平均気温Ｔa が３日間連続してＴa ＜０の場合は前記積算暖度を０に戻すという条件のもとに、日平均気温の０℃以上の値を積算する積算暖度を算出し、その積算暖度が所定の閾値に達すると融雪水の地中浸透開始日と推定する。
【００１３】
当然、上記した融雪水の地中浸透開始日の推定は、当該地域の観測データを利用して行うことができる。昨今、気象データは、より狭い地域を単位としたものが得られる傾向にあるので、その利用を図ることができる。
【００１４】
以下、本発明について観測データを用いた前記積算暖度の算出例について述べる。
【００１５】
まず、ＦＤ−ｉｎｄｅｘについて説明する。ここで、ＦＤ−ｉｎｄｅｘ（Ｆｉｒｓｔ  Ｄｉｓｃｈａｒｇｅ  ｉｎｄｅｘ）とは、前記積算暖度を意味し、融雪水の地中浸透開始日を判断するために、本願発明者によって新たに提案された指標である。ＦＤ−ｉｎｄｅｘは、基本的には０℃以上の日平均気温を積算する積算暖度の形態で表現されるものであるが、その算出においては、以下に示す条件を設けるものとする。
【００１６】
【数１】
0003819312.tif 000002
【００１７】
ここで、Ｔa とは、日平均気温である。
【００１８】
ただし、
条件：３日間連続してＴa ＜０の場合はＦＤ−ｉｎｄｅｘを０に戻す
計算の一例を表１に示す（３月１日からＦＤ−ｉｎｄｅｘを算出した場合）。
【００１９】
【表１】
0003819312.tif 000003
【００２０】
以下、ＦＤ−ｉｎｄｅｘの算出例について説明する。
【００２１】
〔１〕現地観測データを用いたＦＤ−ｉｎｄｅｘの算出
図２は地点Ａの気温データを用いてＦＤ−ｉｎｄｅｘの日変化を計算し、融雪水の地中浸透量（実測値）の日変化とともに示した図である。
【００２２】
この図において、棒グラフは融雪水の地中浸透量、−◇−線はＦＤ−ｉｎｄｅｘ、矢印↓は融雪水の地中浸透量から判断した融雪水の地中浸透開始日、◆はＦＤ−ｉｎｄｅｘから判断した融雪水の地中浸透開始日をそれぞれ示している。
【００２３】
次に、ＦＤ−ｉｎｄｅｘによる融雪水の地中浸透開始日の判断について説明する。
【００２４】
ＦＤ−ｉｎｄｅｘを用いて融雪水の地中浸透開始日を判断するためには、ＦＤ−ｉｎｄｅｘに閾値を設定する必要がある。図２の計算では、一例として閾値を１０℃ｄａｙとした場合について示している。すなわち、ＦＤ−ｉｎｄｅｘが１０℃ｄａｙに達した時点で融雪水の地中浸透が開始したと判断している。
【００２５】
図２における地点Ａを例に取ると、ＦＤ−ｉｎｄｅｘからは３月３１日が融雪水の地中浸透開始日と判断されることになる。
【００２６】
この推定日と融雪水の地中浸透量の観測から明らかになった融雪水の地中浸透開始日（３月２９日）との差はわずかであり、実用的には良い精度で推定できている。
【００２７】
次に、ＦＤ−ｉｎｄｅｘを使用する際の注意点について説明する。
【００２８】
ＦＤ−ｉｎｄｅｘの閾値を大きく設定することにより、本格的な（連続的な）融雪水の地中浸透が始まる以前の単発的な融雪水の地中浸透（例えば地点Ａにおける３月５日）を除外することが可能である。しかし、閾値を大きく設定しすぎると、本格的な（連続的な）融雪水の地中浸透の開始日の判断が遅れてしまう結果になる。
【００２９】
なお、本発明は上記実施例に限定されるものではなく、本発明の趣旨に基づいて種々の変形が可能であり、それらを本発明の範囲から排除するものではない。
【００３０】
【発明の効果】
以上、詳細に説明したように、本発明によれば、簡便な、０℃以上の日平均気温を積算する積算暖度の形態で融雪水の地中浸透開始日を推定することができる。
【図面の簡単な説明】
【図１】本発明の実施例を示す融雪水の地中浸透開始日の推定装置の構成図である。
【図２】地点Ａの気温データを用いてＦＤ−ｉｎｄｅｘの日変化を計算し、融雪水の地中浸透量（実測値）の変化とともに示した図である。
【符号の説明】
１    日平均気温Ｔa の測定装置
２    積算暖度を算出する処理を行う積算装置
３    融雪水の地中浸透開始日の判断を行う推定装置
【図１】
0003819312.tif 000004
【図２】
0003819312.tif 000005